【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
リモコンにより操作可能な外部映像装置と通信手段を介して接続可能であって、前記リモコンにより操作可能な映像処理装置において、
前記リモコンの操作に応じて、表示手段の表示画面上の所定位置にカーソル画像を表示させる制御手段と、
前記外部映像装置より出力される第１の映像データと他の映像ソースより出力される第２の映像データとをそれぞれ入力する入力手段とを有し、
前記制御手段は、入力される映像データが、前記第２の映像データから前記第１の映像データへと切換えられた場合に、
前記カーソル画像の表示位置に係る第１の位置情報を、前記通信手段を介して前記外部映像装置に送信し、
前記外部映像装置から、入力される映像データが切換えられる前に表示されていたカーソル画像の表示位置に対応する位置に、切換えられた後のカーソル画像が表示されるように、前記第１の位置情報に基づいて前記外部映像装置で生成された第１のカーソル画像データが合成された第１の映像データを受信し、
前記外部映像装置から受信した第１の映像データに基いて、カーソル画像を含む映像を前記表示手段に表示させることを特徴とする映像処理装置。
【請求項２】
前記入力手段が前記第２の映像データを入力している場合に、前記カーソル画像を表示するための第２のカーソル画像データを生成する生成手段と、
前記第２のカーソル画像データと前記第２の映像データとを合成した合成映像データを前記表示手段に出力する合成手段とをさらに有することを特徴とする請求項１に記載の映像処理装置。
【請求項３】
前記制御手段は、入力される映像データが、前記第１の映像データから前記第２の映像データへと切換えられた場合に、
入力される映像データが切換えられる前に表示されていたカーソル画像の表示位置に係る第２の位置情報を、前記外部映像装置から受信し、
前記生成手段は、前記第２の位置情報に基づいて前記第２のカーソル画像データを生成することを特徴とする請求項２に記載の映像処理装置。
【請求項４】
入力される映像データが切換えられる前に表示されていたカーソル画像の表示位置と、切換えられた後に表示されるカーソル画像の表示位置とが等しいことを特徴とする請求項１乃至３に記載の映像処理装置。
【請求項５】
前記生成手段は、グラフィクス画像データを生成し、前記第２のカーソル画像データに基づいて表示されるカーソル画像の表示位置は、入力される映像データが切換えられた後に表示され、前記グラフィクス画像データに基づいて表示されるグラフィクス画像の表示領域内であることを特徴とする請求項２に記載の映像処理装置。
【請求項６】
前記グラフィクス画像が複数表示される場合、前記第２のカーソル画像データに基づいて表示されるカーソル画像の表示位置は、入力される映像データが切換えられる前に表示されていたカーソル画像に最も近い位置に表示されるグラフィクス画像の表示領域内に表示されることを特徴とする請求項５に記載の映像処理装置。
【請求項７】
リモコンにより操作可能な外部映像装置と通信手段を介して接続可能であって、前記リモコンにより操作可能な映像処理装置の制御方法において、
前記リモコンの操作に応じて、表示手段の表示画面上の所定位置にカーソル画像を表示させる表示ステップと、
前記外部映像装置より出力される第１の映像データと他の映像ソースより出力される第２の映像データとをそれぞれ入力する入力ステップとを有し、
入力される映像データが、前記第２の映像データから前記第１の映像データへと切換えられた場合に、
前記カーソル画像の表示位置に係る第１の位置情報を、前記通信手段を介して前記外部映像装置に送信し、
前記外部映像装置から、入力される映像データが切換えられる前に表示されていたカーソル画像の表示位置に対応する位置に、切換えられた後のカーソル画像が表示されるように、前記第１の位置情報に基いて前記外部映像装置で生成された第１のカーソル画像データが合成された第１の映像データを受信し、
前記表示ステップで、前記外部映像装置から受信した第１の映像データに基づいて、カーソル画像を含む映像を前記表示手段に表示させることを特徴とする映像処理装置の制御方法。
【請求項８】
前記入力ステップで前記第２の映像データが入力されている場合に、前記カーソル画像を表示するための第２のカーソル画像データを生成する生成ステップと、
前記第２のカーソル画像データと前記第２の映像データとを合成した合成映像データを前記表示手段に出力する合成ステップとをさらに有することを特徴とする請求項７に記載の映像処理装置の制御方法。
【請求項９】
入力される映像データが、前記第１の映像データから前記第２の映像データへと切換えられた場合に、
入力される映像データが切換えられる前に表示されていたカーソル画像の表示位置に係る第２の位置情報を、前記外部映像装置から受信し、
前記生成ステップは、前記第２の位置情報に基づいて前記第２のカーソル画像データを生成することを特徴とする請求項８に記載の映像処理装置の制御方法。
【請求項１０】
入力される映像データが切換えられる前に表示されていたカーソル画像の表示位置と、切換えられた後に表示されるカーソル画像の表示位置とが等しいことを特徴とする請求項７乃至９に記載の映像処理装置の制御方法。
【請求項１１】
前記生成ステップは、グラフィクス画像データを生成し、前記第２のカーソル画像データに基づいて表示されるカーソル画像の表示位置は、入力される映像データが切換えられた後に表示され、前記グラフィクス画像データに基づいて表示されるグラフィクス画像の表示領域内であることを特徴とする請求項８に記載の映像処理装置の制御方法。
【請求項１２】
前記グラフィクス画像が複数表示される場合、前記第２のカーソル画像データに基づいて表示されるカーソル画像の表示位置は、入力される映像データが切換えられる前に表示されていたカーソル画像に最も近い位置に表示されるグラフィクス画像の表示領域内に表示されることを特徴とする請求項１１に記載の映像処理装置の制御方法。
【手続補正２】
【補正対象書類名】明細書
【補正対象項目名】０００８
【補正方法】変更
【補正の内容】
【０００８】
本発明の映像処理装置は、リモコンにより操作可能な外部映像装置と通信手段を介して接続可能であって、前記リモコンにより操作可能な映像処理装置において、
前記リモコンの操作に応じて、表示手段の表示画面上の所定位置にカーソル画像を表示させる制御手段と、
前記外部映像装置より出力される第１の映像データと他の映像ソースより出力される第２の映像データとをそれぞれ入力する入力手段とを有し、
前記制御手段は、入力される映像データが、前記第２の映像データから前記第１の映像データへと切換えられた場合に、
前記カーソル画像の表示位置に係る第１の位置情報を、前記通信手段を介して前記外部映像装置に送信し、
前記外部映像装置から、入力される映像データが切換えられる前に表示されていたカーソル画像の表示位置に対応する位置に、切換えられた後のカーソル画像が表示されるように、前記第１の位置情報に基づいて前記外部映像装置で生成された第１のカーソル画像データが合成された第１の映像データを受信し、
前記外部映像装置から受信した第１の映像データに基いて、カーソル画像を含む映像を前記表示手段に表示させることを特徴とする。